(57)【要約】【課題】より簡単な操作で、画像及び任意の文字情報を一緒に印刷記録媒体に記録することができるデータ出力システム、撮像装置、撮像装置用プログラム、記録装置及び記録装置用プログラムを提供する。【解決手段】撮像された画像の画像情報に基づいて画像データを生成するデジタルカメラ１１にキーボード１３を設ける。このキーボード１３を介してデジタルカメラ１１に文字情報を入力する。入力された文字情報は、内蔵メモリに記憶されるとともにモニタ部２２に表示される。キーボード１３から文字入力の終了信号をデジタルカメラ１１が受信すると、デジタルカメラ１１の制御部は、モニタ部２２に表示された文字情報を画像データとして生成して、フラッシュメモリ１５に記憶する。【選択図】　　　図１
2004140529.tif 000002
【特許請求の範囲】
【請求項１】
撮像された画像の画像情報に基づいて、所定の画像ファイル形式の画像データを生成するデータ生成手段を備えた撮像装置と、
前記画像データに基づいて印刷記録媒体に画像を記録する記録装置と
から構成されるデータ出力システムにおいて、
前記撮像装置は、文字入力手段を備えているとともに、
前記撮像装置の前記データ生成手段は、前記文字入力手段から入力された文字情報と、前記画像データを生成するときの表示形式の書式情報とを含んだ所定のファイル形式の文書データを生成し、
前記記録装置は、前記文書データに基づく文字を、前記画像データに基づく画像が前記印刷記録媒体に記録される領域と同じ大きさの領域に表示されるように、前記印刷記録媒体に記録させるようにしたことを特徴とするデータ出力システム。
【請求項２】
撮像された画像の画像情報に基づいて所定の画像ファイル形式で画像データを生成するデータ生成手段を備えた撮像装置において、
文字入力手段が備えられているとともに、
前記データ生成手段は、前記文字入力手段から入力された文字の文字情報を、前記画像ファイル形式の前記画像データに生成することを特徴とする撮像装置。
【請求項３】
撮像された画像の画像情報に基づいて、所定の画像ファイル形式の画像データを生成するデータ生成手段を備えた撮像装置において、
文字入力手段が備えられているとともに、
前記データ生成手段は、前記文字入力手段から入力された文字の文字情報と、前記画像データを生成するときの表示形式の書式情報とを含んだ所定のファイル形式の文書データに生成可能であることを特徴とする撮像装置。
【請求項４】
前記文字入力手段が着脱可能となっていることを特徴とする請求項２又は３に記載の撮像装置。
【請求項５】
撮像装置用コンピュータに、
撮像された画像の画像情報に基づいて所定の画像ファイル形式の画像データを生成させる撮像装置用プログラムであって、
前記撮像装置用コンピュータに、文字入力手段から入力される文字情報を、前記画像ファイル形式の画像データに生成させる機能を実現させるための撮像装置用プログラム。
【請求項６】
撮像装置用コンピュータに、
撮像された画像の画像情報に基づいて所定の画像ファイル形式の画像データを生成させる撮像装置用プログラムであって、
前記撮像装置用コンピュータに、文字入力手段から入力された文字情報と、前記画像データを生成するときの表示形式に関する書式情報とを含んだ所定のファイル形式の文書データを生成させる機能を実現させるための撮像装置用プログラム。
【請求項７】
文字情報を含んだ所定のファイル形式の文書データに基づいて、画像ファイル形式の他の画像データと同じ表示形式で、印刷記録媒体に文字を記録することを特徴とする記録装置。
【請求項８】
記録装置用コンピュータに、
所定のファイル形式の文書データに含まれる文字情報と、前記文書データを生成した撮像装置が画像情報を所定の画像ファイル形式の画像データを生成させるときの表示形式の書式情報とに基づいて、
前記記録装置用コンピュータに、前記画像データに基づいて画像が記録される領域と同じ大きさの領域で、印刷記録媒体に文字を記録させる機能を実現させるための記録装置用プログラム。
【発明の詳細な説明】
【０００１】
【発明の属する技術分野】
本発明は、データ出力システム、撮像装置、撮像装置用プログラム、記録装置及び記録装置用プログラムに関する。
【０００２】
【従来の技術】
近年、銀塩写真の代わりに、プリンタを用いて、デジタルカメラで撮像した画像を紙に出力印刷することが行われており、画像を記録として残しておくことが頻繁に行われるようになってきている。そこで、より手軽に、デジタルカメラで撮像した画像を印刷するために、パーソナルコンピュータ（以下、パソコンという。）を介さずに、デジタルカメラとプリンタとを直接接続するプリンタが出現してきている（例えば特許文献１）。
【０００３】
この特許文献１に記載のプリンタによれば、撮像された順番に並んだ画像を、予め設定されている位置に単数または複数の画像を割り付けることができるようになっている。このため、ユーザは、画像のレイアウト作業を印刷時に毎回設定せずともよく、手軽に画像を印刷することができる。
【０００４】
【特許文献１】
特開２０００−２９９７７７号公報（図１及び図２）
【０００５】
【発明が解決しようとする課題】
ところで、画像を紙に印刷しても、その画像が何であったか又は何のために撮像したかなどが不明となることがあった。このため、特許文献１に記載のプリンタによれば、画像に関する情報を文字情報として、画像とともに印刷することが行われていた。しかしながら、この特許文献１においては、画像とともに印刷される文字情報は、撮影日時やデータ量など予め撮像装置が自動的に生成する情報のみだけであった。すなわち、ユーザが任意に文字情報を入力して、この情報とともに画像を印刷することはできなかった。
【０００６】
一方、ユーザは、パソコンを介して撮像された画像に関する任意の情報を文字情報として入力し、この文字情報に画像のデータを添付ファイルとして関連付けて、画像及び入力した任意の情報を一緒に印刷することが可能である。しかしながら、この場合には、パソコンを介して撮像装置から画像を取り込んで、画像に関する任意の情報を入力した後、画像の印刷レイアウトと文字情報の印刷レイアウトの両方を行う必要があった。従って、画像と、これに関する任意の情報とを一緒に印刷記録媒体に記録するためには、いくつかの手順を行う必要があり、簡単にはできなかった。
【０００７】
本発明は、上記問題を解決するためになされたものであって、その目的は、より簡単な操作で、画像及び任意の文字情報を一緒に印刷記録媒体に記録することができるデータ出力システム、撮像装置、撮像装置用プログラム、記録装置及び記録装置用プログラムを提供することにある。
【０００８】
【課題を解決するための手段】
本発明におけるデータ出力システムは、撮像された画像の画像情報に基づいて、所定の画像ファイル形式の画像データを生成するデータ生成手段を備えた撮像装置と、前記画像データに基づいて印刷記録媒体に画像を記録する記録装置と
から構成されるデータ出力システムにおいて、前記撮像装置は、文字入力手段を備えているとともに、前記撮像装置の前記データ生成手段は、前記文字入力手段から入力された文字情報と、前記画像データを生成するときの表示形式の書式情報とを含んだ所定のファイル形式の文書データを生成し、前記記録装置は、前記文書データに基づく文字を、前記画像データに基づく画像が前記印刷記録媒体に記録される領域と同じ大きさの領域に表示されるように、前記印刷記録媒体に記録させる。
【０００９】
これによれば、記録装置は、文書データに含まれている表示形式の書式情報に基づいて、文書データの文字情報を、撮像装置で生成された画像情報を含む画像データが表示される領域と同じ大きさの領域で、印刷記録媒体に記録することができる。このため、記録装置は、画像データのレイアウトがすでに設定されている場合には、この画像データのレイアウトと、文書データが有している書式情報とに基づいて、画像が表示される領域と同じ領域の範囲で文字情報を自動的にレイアウトする。従って、ユーザは、画像のレイアウトと別に、文書のレイアウトを別途行う必要がないので、より簡単な操作を行うだけで、画像と文書とを一緒に印刷記録媒体に記録することができる。また、ユーザは、撮像装置において、文字入力手段を介して任意の文字情報を入力することができるので、撮像された画像に任意の文字情報を付すことができ、データの整理をより簡単に行うことができる。
【００１０】
本発明における撮像装置は、撮像された画像の画像情報に基づいて所定の画像ファイル形式で画像データを生成するデータ生成手段を備えた撮像装置において、文字入力手段が備えられているとともに、前記データ生成手段は、前記文字入力手段から入力された文字の文字情報を、前記画像ファイル形式の前記画像データに生成する。
【００１１】
これによれば、撮像装置のデータ生成手段は、文書データを、画像データと同じ画像ファイル形式で生成する。すなわち、記録装置は、中身が文字情報により生成された画像データも、画像情報に基づいて生成された画像データと同様に取り扱う。このため、記録装置は、文字情報を含んだ画像ファイル形式の画像データを、画像情報を含んだ他の画像データと同様にレイアウトして、印刷記録媒体に画像（文書）を記録する。従って、ユーザは、画像のレイアウトと別に文書のレイアウトを行う必要がないので、より簡単な操作だけで、画像と文書とを一緒に印刷記録媒体に記録することができる。また、ユーザは、撮像装置において、文字入力手段を介して任意の文字情報を入力することができるので、撮像された画像に任意の文字情報を付すことができ、データの整理をより簡単に行うことができる。
【００１２】
本発明における撮像装置は、撮像された画像の画像情報に基づいて、所定の画像ファイル形式の画像データを生成するデータ生成手段を備えた撮像装置において、文字入力手段が備えられているとともに、前記データ生成手段は、前記文字入力手段から入力された文字の文字情報と、前記画像データを生成するときの表示形式の書式情報とを含んだ所定のファイル形式の文書データに生成可能である。
【００１３】
これによれば、撮像装置のデータ生成手段は、画像情報に基づいて画像データを生成するときの表示形式の書式情報を、文字入力手段から入力された文字の文字情報から生成される文書データに含める。このため、記録装置は、文書データの書式情報に基づいて、文字情報を画像情報と同様な形式で印刷記録媒体に記録することが容易にできる。従って、ユーザに、より簡単な操作だけ行わせても、画像と文書とを一緒に印刷記録媒体に記録することができる。
【００１４】
この撮像装置において、前記文字入力手段が着脱可能となっている。
これによれば、撮像装置には、文字入力手段が脱着可能となっているので、文字入力が必要な場合にだけ文字入力手段を撮像装置に取り付ければよい。このため、撮像装置は、文字入力を容易にするために文字入力手段を大きくしても、撮像するときに文字入力手段を取り外せば、文字入力手段が邪魔になることなく撮像することができ、使い勝手をよくすることができる。
【００１５】
本発明における撮像装置用プログラムは、撮像装置用コンピュータに、撮像された画像の画像情報に基づいて所定の画像ファイル形式の画像データを生成させる撮像装置用プログラムであって、前記撮像装置用コンピュータに、文字入力手段から入力される文字情報を、前記画像ファイル形式の画像データに生成させる機能を実現させる。
【００１６】
これによれば、撮像装置のコンピュータに、文字入力手段から入力される文字情報を含んだ前記画像ファイル形式の画像データを生成させる。従って、文字情報も画像データとなるので、画像情報を含んだ画像データと同様にして取り扱われる。このため、他の画像データと同様にレイアウトされて、文字が印刷記録媒体に記録される。従って、画像のレイアウトと別に、文書のレイアウトを別途行う必要がないので、より簡単な操作だけで、画像と文書とを一緒に印刷記録媒体に記録することができる。
【００１７】
本発明における撮像装置用プログラムは、撮像装置用コンピュータに、撮像された画像の画像情報に基づいて所定の画像ファイル形式の画像データを生成させる撮像装置用プログラムであって、前記撮像装置用コンピュータに、文字入力手段から入力された文字情報と、前記画像データを生成するときの表示形式に関する書式情報とを含んだ所定のファイル形式の文書データを生成させる機能を実現させる。
【００１８】
これによれば、撮像装置のコンピュータに、文字入力手段から入力された文字の文字情報に基づいて、かつ画像データを生成するときの書式情報を含めるようにして文書データを生成させる。このため、記録装置は、文書データの書式情報に基づいて、文字情報を含んだ文書データを、画像情報と同様な表示形式で印刷記録媒体に記録することが容易にできる。従って、より簡単な操作だけをユーザに行わせて、画像と文書とを一緒に印刷記録媒体に記録することができる。
【００１９】
本発明における記録装置は、文字情報を含んだ所定のファイル形式の文書データに基づいて、画像ファイル形式の他の画像データと同じ表示形式で、印刷記録媒体に文字を記録する。
【００２０】
これによれば、記録装置は、文字情報からなる画像データも、画像情報に基づいて生成された画像データと同様に、画像（文字）を記録する。このため、記録装置は、画像データのレイアウトだけがすでに設定されている場合には、この画像データのレイアウトに基づいて、文字も記録することができる。従って、ユーザは、画像のレイアウトと別に文書のレイアウトを別途行う必要がないので、より簡単な操作だけで、画像と文書とを一緒に印刷記録媒体に記録することができる。
【００２１】
本発明における記録装置用プログラムは、記録装置用コンピュータに、所定のファイル形式の文書データに含まれる文字情報と、前記文書データを生成した撮像装置が画像情報を所定の画像ファイル形式の画像データを生成させるときの表示形式の書式情報とに基づいて、前記記録装置用コンピュータに、前記画像データに基づいて画像が記録される領域と同じ大きさの領域で、印刷記録媒体に文字を記録させる機能を実現させる。
【００２２】
これによれば、記録装置のコンピュータに、所定のファイル形式の文書データに含まれる文字情報と、この文書データを生成した撮像装置が画像データの表示形式の書式情報とに基づいて、印刷記録媒体に文字を記録させる。すなわち、記録装置は、文書データの書式情報に基づいて、文字情報を含んだ文書データを、画像情報と同様な表示形式で印刷記録媒体に記録することが容易にできる。従って、より簡単な操作だけをユーザに行わせて、画像と文書とを一緒に印刷記録媒体に記録することができる。
【００２３】
【発明の実施の形態】
（第１の実施形態）
以下、本発明を具体化したデータ出力システムの一実施形態を図１〜図５に従って説明する。
【００２４】
図１及び図２に示すように、データ出力システムは、撮像装置としてのデジタルカメラ１１と、記録装置としてのプリンタ１２とから構成されている。デジタルカメラ１１には、文字入力手段としてのキーボード１３がケーブル１４を介して取り付けられている。なお、このキーボード１３は、ケーブル１４を取り外すことにより、デジタルカメラ１１から脱着可能となっている。また、デジタルカメラ１１には、画像データ及び文書データを記憶できるフラッシュメモリ１５が挿入可能となっている。このフラッシュメモリ１５は、プリンタ専用カード１６に収容された状態で、プリンタ１２に挿入可能である。このため、プリンタ１２は、デジタルカメラ１１でフラッシュメモリ１５に記憶された画像データ及び文書データに基づいて画像及び文字を記録（印刷）することができる。
【００２５】
デジタルカメラ１１には、光学駆動部２１及びモニタ部２２が備えられている。この光学駆動部２１には、レンズや焦点を合わせるための駆動機構等が収められている。モニタ部２２は、例えば液晶ディスプレイにより構成されている。このモニタ部２２には、光学駆動部２１を用いて撮像された画像、キーボード１３から入力された文字及びメニュー画面等が出力表示される。従って、ユーザは、モニタ部２２を介して、撮像される又は撮像された画像やキーボードから入力された文字を確認することができる。
【００２６】
更に、このデジタルカメラ１１は、シャッターボタン２３、メニューボタン２４、モード選択ボタン２５及び電源ボタン２６を有している。シャッターボタン２３が押下されることにより、静止画像のデータがフラッシュメモリ１５に記憶される。メニューボタン２４が押下されることにより、モニタ部２２に表示される画像の明るさやコントラストなど色合いの調節が行われる。モード選択ボタン２５が押下されることにより、入力モード（画像を撮像する際の画像入力モードと、キーボード１３から文字入力を行う文字入力モードと）の切換が行われる。電源ボタン２６が押下されると、電源の投入又は切断が行われる。
【００２７】
次に、このデジタルカメラ１１の電気的構成について説明する。
デジタルカメラ１１は、図２に示すように、撮像装置用コンピュータ及びデータ生成手段としての制御部３１、画像入力部３２、電源３３、各種のボタン２３〜２６からなる操作部３４、モニタ駆動部３５、内蔵メモリ３６、文字情報入力用インターフェイス部３７及び外部記憶用インターフェイス部３８を備えている。
【００２８】
制御部３１は、各部（画像入力部３２〜外部記憶用インターフェイス部３８）との間でデータの送受信を行う。制御部３１は、図示しないＣＰＵ、ＲＡＭ、ＲＯＭ等を有するコンピュータであり、データの生成を行う生成プログラムを含む各種プログラムの実行、キーボード１３やフラッシュメモリ１５とのデータの送受信等の制御等を行う。同制御部３１は、キーボード１３から入力される文字情報を、ＲＯＭに記憶されている入力文字の形式（文字の大きさ及び最大文字数など）に適合させてモニタ部２２に表示する。また、この制御部３１は、シャッターボタン２３が押下されると、モニタ部２２に表示されている画像からＪＰＥＧ（Ｊｏｉｎｔ　Ｐｈｏｔｏｇｒａｐｈｉｃ　Ｅｘｐｅｒｔｓ　Ｇｒｏｕｐ）形式（所定の形式）の画像データを生成し、この画像データをフラッシュメモリ１５に記憶させる。また、同制御部３１は、キーボード１３から文字情報の終了信号を受信すると、モニタ部２２に表示されている文字情報からＪＰＥＧ形式の画像データを生成し、この画像データをフラッシュメモリ１５に記憶させる。すなわち、キーボード１３から入力された文字情報は、モニタ部２２に表示された画像の画像データに変換されてフラッシュメモリ１５に記憶される。
【００２９】
この画像データは、図４に示すように、ファイル付加情報Ａとデータ本体情報Ｄとから構成される。データ本体情報Ｄは、画像データであって、水平アドレス及び垂直アドレスによって特定されるアドレスの各ピクセルに対してＲＧＢ値が記憶されている。このデータ本体情報Ｄは、画像情報の場合には、シャッターボタン２３が押下されて光学駆動部２１を介して撮像された画像、すなわちモニタ部２２に表示された画像の情報である。また、このデータ本体情報Ｄは、文字情報の場合には、キーボード１３から文字入力の終了信号を制御部３１が受信したときにモニタ部２２に表示された画面の情報、すなわち文字情報を画像データとしたときの情報である。
【００３０】
ファイル付加情報Ａは、ファイルを識別する識別情報Ａ１と、画像データとして記憶させる際に書き込まれる付帯情報Ａ２とから構成されている。識別情報Ａ１は、画像データに生成順に自動的に付与される番号と、この画像データの保存形式（本実施形式ではＪＰＥＧ）とに関する情報である。付帯情報Ａ２は、画像情報及び文字情報が画像データとしてフラッシュメモリ１５に保存される際に、デジタルカメラ１１に記憶される各種情報であり、例えば画像データのデータ量、撮像日時、モニタ部２２に表示されたときの色合いなどの設定情報である。
【００３１】
画像入力部３２は、上記光学駆動部２１と撮像素子３９とを含んで構成されている。光学駆動部２１は、制御部３１の指示信号により光学系の焦点を調節し、適切な画像を撮像するために用いられる。撮像素子３９は、光の強弱を電圧に変換して蓄電するフォトダイオードを格子状に並べ画像を電気信号に変換する。本実施形態では、撮像素子３９として電荷結合素子（ＣＣＤ）を用いる。光学駆動部２１に入射した光は撮像素子３９によってデータに変換され、制御部３１に出力される。制御部３１は、撮像素子３９の出力を変換してＲＧＢ信号を生成し、このＲＧＢ信号データを内蔵メモリ３６に継続して順次保持しながらモニタ部２２に出力する。
【００３２】
電源３３は、デジタルカメラ１１の各部を稼動させるために、各部（画像入力部３２〜外部記憶用インターフェイス部３８）に所定の電圧を供給する。操作部３４は、上述したシャッターボタン２３、メニューボタン２４、モード選択ボタン２５及び電源ボタン２６を含んで構成されており、制御部３１に各種処理を実行させる。
【００３３】
モニタ駆動部３５は、上記モニタ部２２に画像や文書及びメニュー画面等を出力するための駆動部である。内蔵メモリ３６は、撮像素子３９より継続して順次入力される画像を一時的に保存しモニタ部２２に動画として表示するためのものであるとともに、キーボード１３から順次入力される文字情報を一時的に保存し、この文字情報をモニタ部２２に表示させるためのものである。文字情報入力用インターフェイス部３７は、デジタルカメラ１１の制御部３１とキーボード１３とを電気的に接続する部分であって、これを介して同制御部３１は、キーボード１３から文字データを受信して、キーボード１３にて入力された文字データを取り込むことができる。外部記憶用インターフェイス部３８は、制御部３１と、デジタルカメラ１１内に挿入された上記フラッシュメモリ１５とを電気的に接続する部分である。このため、制御部３１は、この外部記憶用インターフェイス部３８を介して、フラッシュメモリ１５に画像データを記憶させたり、フラッシュメモリ１５に記憶されている画像を読み出したり削除したりすることができる。
【００３４】
また、図１に示すように、上記の構造を有するデジタルカメラ１１に接続されるキーボード１３は、図示しないＣＰＵと、これに接続された複数のキースイッチとから構成されている。なお、このキースイッチは、各文字に相当する文字用キースイッチ１３ａと、削除や挿入などを行う複数の指令選択キースイッチ１３ｂとから構成されている。ＣＰＵは、文字用キースイッチ１３ａが押下されると押下されたキーに対応した文字情報をデジタルカメラ１１の文字情報入力用インターフェイス部３７を介して、デジタルカメラ１１の制御部３１に送信する。また、同ＣＰＵは、指令選択キースイッチ１３ｂが押下されるとその指令に応じた処理を行う指令信号を、デジタルカメラ１１の文字情報入力用インターフェイス部３７を介して、その制御部３１に送信する。
【００３５】
一方、プリンタ１２は、図１に示すように、メニュー画面や設定情報を表示する設定画面４１と、この設定画面４１に表示されたメニューを選択したり決定したりする複数のボタン４２と、画像を表示するモニタ部４３とを備えている。設定画面４１は、モノクロ液晶であり、例えば出力用紙の種類（単票紙又はロール紙）、用紙サイズ（Ａ４等）、レイアウト、写真選択などをユーザに選択設定させるためのメニュー画面を表示する。また、ボタン４２は、プリンタ１２に電源を投入するための電源スイッチや設定画面４１に表示されたメニュー画面を選択したり決定したりするための操作スイッチである。なお、このボタン４２には、画像データ一括印刷ボタンが含まれており、このボタンが押下されることにより、画像データが所定の配置状態で印刷される。更に、モニタ部４３は、カラー液晶モニタである。また、プリンタ１２には、背面に用紙供給装置４４が設けられている。この用紙供給装置４４は、単票紙をセットするためのシートフィーダ４５及びロール紙をセットするためのロール紙支持部４６から構成されている。
【００３６】
次に、このプリンタ１２の電気的構成について説明する。
プリンタ１２には、図２に示すように、記録装置用コンピュータとしての制御部５１、操作パネル部５２、外部記憶用インターフェイス５３、モニタ駆動部５４及び印刷処理部５５を備えている。制御部５１は、プリンタ１２のメイン制御を司るもので、例えばＣＰＵ、ＲＯＭ、ＲＡＭ、ＥＥＰＲＯＭ、駆動回路（以上、図示省略）等を備えている。同制御部５１は、この備えているＲＯＭに記憶されている各種処理プログラムに基づいて、フラッシュメモリ１５に記憶されたデータを読み出したり、処理メニューを設定画面４１に表示したり、データの内容をモニタ部４３に表示したり、データに基づいて印刷処理部５５を駆動させて印刷処理を実行したりする。
【００３７】
操作パネル部５２は、上記設定画面４１及びボタン４２から構成されている。このため、操作パネル部５２は、制御部５１の指令信号に基づいて設定画面４１にメニューを表示したり、ボタン４２を介してユーザの指令に応じた印刷設定の変更などを制御部５１に行わせたりすることができる。
【００３８】
外部記憶用インターフェイス５３は、図１に示される挿入口５６にプリンタ専用カード１６が挿入されたときに、そのプリンタ専用カード１６内のフラッシュメモリ１５と、制御部５１とを電気的に接続する部分である。このため、この外部記憶用インターフェイス５３を介して、同制御部５１は、フラッシュメモリ１５に記憶されたデータを取り込むことができる。従って、プリンタ１２は、例えばパソコンなどのホストコンピュータを接続することなくフラッシュメモリ１５から読み取ったデータに基づき画像及び文字を記録（印刷）することができる。
【００３９】
モニタ駆動部５４は、上記モニタ部４３に、フラッシュメモリ１５に記憶されて読み出された画像データの内容を表示させる駆動部である。すなわち、プリンタ１２は、フラッシュメモリ１５に記憶された画像データを選択して印刷する場合に、画像データの内容、すなわち画像又は文字を表示させて、ユーザに対してこれから印刷される画像の確認を行わせることができる。
【００４０】
印刷処理部５５は、印刷処理を行うメカ機構であり、例えば図１に示す記録ヘッド５９ａの駆動体、キャリッジモータ、紙送りモータ（以上、図示省略）等からなる。従って、印刷処理部５５が制御部５１により駆動されると、紙送りモータが駆動させられて、図１のシートフィーダ４５にセットされた印刷記録媒体の単票紙Ｐ、又はロール紙支持部４６にセットされる印刷記録媒体のロール紙がＹ方向（前面）に移動させられる。また、印刷処理部５５が制御部５１により駆動されると、キャリッジモータが駆動させられて、記録ヘッド５９ａが搭載されているキャリッジ５９をＸ方向に移動させる。更に、制御部５１は、印刷処理部５５を駆動させると、記録ヘッド５９ａの駆動体が駆動されて、インク滴が単票紙Ｐ又はロール紙に噴射される。
【００４１】
次に、上述した本実施形態のデータ出力システムの作用について、図５を参照して説明する。
例えば展示会など出先にてユーザがデジタルカメラ１１を使用する場合、ユーザは、まず、フラッシュメモリ１５をデジタルカメラ１１に挿入し、モード選択ボタン２５を押下して画像入力モードにしておく。なお、このとき、撮像しやすいように、デジタルカメラ１１からキーボード１３を外しておくのが好ましい。そして、ユーザは電源ボタン２６を押下して、デジタルカメラ１１に電源３３を投入する（ステップＳ１１）。制御部３１は、現在、画像入力モードである（ステップＳ１２にてＮＯ）ため、光学駆動部２１を介して撮像素子３９が受光する光に基づいて、動画の画像情報を作成し、それを一時的に内蔵メモリ３６に記憶させながら、モニタ部２２に表示する（ステップＳ１３）。このとき、撮像したい画像がモニタ部２２に表示されると、ユーザはシャッターボタン２３を押下する。制御部３１は、シャッターボタン２３が押下されると（ステップＳ１４にてＹＥＳ）、内蔵メモリ３６に記憶されている画像情報に基づいてＪＰＥＧ形式の画像データを生成し、この画像データをフラッシュメモリ１５に記憶する（ステップＳ１５）。
【００４２】
その後、ユーザが、例えば撮像した画像に関連した文書を入力したいと思った場合には、図１に示すように、デジタルカメラ１１にキーボード１３を接続するとともに、モード選択ボタン２５を押下して文字入力モードに変更する（ステップＳ１２にてＹＥＳ）。そして、ユーザがキーボード１３のキースイッチ１３ａを適宜押下することにより、キーボード１３から押下されたキーに対応した文字情報がデジタルカメラ１１に出力される。制御部３１は、文字情報入力用インターフェイス部３７を介してキーボード１３からの文字情報を、モニタ部２２に表示させる（ステップＳ１６）。なお、モニタ部２２を見たユーザが、入力する文字をまちがえた場合などには、削除を行う指令選択キースイッチ１３ｂを押下する。これによりキーボード１３は、ユーザの指令に応じた指令信号をデジタルカメラ１１の制御部３１に出力する。そして、制御部３１は、その間違えた文字をモニタ部２２に表示しないようにする。
【００４３】
そして、ユーザにより任意の文字の入力がすべて終了すると、指令選択キースイッチ１３ｂが押下される。これにより指令選択キースイッチ１３ｂに対応した指令信号がキーボード１３からデジタルカメラ１１に送信される。そして、制御部３１は、文字情報の入力がすべて終了したと判断する（ステップＳ１７にてＹＥＳ）。このため、制御部３１は、モニタ部２２に表示された画面の情報、すなわち入力された文字情報から画像データを生成し、その生成された画像データをフラッシュメモリ１５に記憶させる（ステップＳ１８）。
【００４４】
そして、デジタルカメラ１１の電源が切断されるまで（ステップＳ１９にてＹＥＳ）、制御部３１は、上記ステップＳ１２〜Ｓ１８の動作を繰り返し行うことにより、順次、ＪＰＥＧ形式により画像データを作成し、フラッシュメモリ１５に記憶する。
【００４５】
次に、以上のようにしてフラッシュメモリ１５に保存された画像データを、プリンタ１２にて単票紙Ｐに印刷する作用について説明する。
ユーザは、画像データが保存されたフラッシュメモリ１５を、デジタルカメラ１１から取り出し、プリンタ専用カード１６に収容する。そして、ユーザは、フラッシュメモリ１５が収容されたプリンタ専用カード１６を、プリンタ１２の挿入口５６に挿入する。
【００４６】
プリンタ１２の制御部５１は、フラッシュメモリ１５に記憶された画像データを読み出す。そして、同制御部５１は、設定画面４１にメニューを表示させて印刷設定をユーザに促す。ユーザは、これにより操作パネル部５２を介して、例えば出力用紙のサイズや１枚に６つの画像を表示するなどの設定を行う。続けて、ユーザは、画像データ一括印刷ボタンを押下する。同制御部５１は、操作パネル部５２を介して入力された設定条件に適合するように、読み出した画像データから印刷される単票紙Ｐのサムネイルデータを作成し、そのサムネイルをモニタ部４３に表示する。ユーザがモニタ部４３で確認した後、印刷実行のボタン４２を押下する。これにより、プリンタ１２の制御部５１は、印刷設定及び画像データに基づいて、印刷処理部５５に駆動信号を与えて、キャリッジ５９をＸ方向に移動させながら、記録ヘッド５９ａの駆動体を駆動させてインク滴を噴射し、更に紙送りモータを駆動させて単票紙ＰをＹ方向に送りながら、印刷を行う。
【００４７】
この印刷により、図３に示すように、画像情報を表示している複数の画像表示部Ｇと、文字情報を表示している文書表示部Ｂとが１枚の単票紙Ｐに記録されている。また、文書表示部Ｂは、画像表示部Ｇが表示される大きさの印刷領域と同じ大きさで単票紙Ｐに印刷される。
【００４８】
本実施形態のデータ出力システムによれば、以下のような効果を得ることができる。
（１）本実施形態では、デジタルカメラ１１の制御部３１は、キーボード１３から入力される文字情報をモニタ部２２に表示する。そして、デジタルカメラ１１は、文字情報の入力がすべて終了した終了信号がキーボード１３から受信すると、そのときモニタ部２２に表示されている画面の情報、すなわち文字情報からＪＰＥＧ形式の画像データを生成する。このため、プリンタ１２は、中身が文字情報であるがＪＰＥＧ形式の画像データを、他の画像データと同様に取り扱う。すなわち、プリンタ１２は、文字情報を含んだ画像データを、他の画像情報を含んだ画像データと同様にレイアウトして、単票紙Ｐに画像（文書）を記録する。従って、ユーザは、画像のレイアウトだけを行えば、文書のレイアウトを別途行う必要がないので、より簡単な操作だけで、画像と文書とを一緒に単票紙Ｐに記録（印刷）することができる。
【００４９】
また、ユーザは、デジタルカメラ１１において、キーボード１３を介して任意の文字情報を入力することができる。このため、デジタルカメラ１１は、撮像された画像に任意の文字情報を付すことができ、データの整理をより簡単に行うことができる。
【００５０】
（２）本実施形態では、デジタルカメラ１１に文字情報を入力するキーボード１３は、デジタルカメラ１１から着脱可能とされている。このため、文字入力が必要な場合にだけキーボード１３をデジタルカメラ１１に取り付ければよい。従って、デジタルカメラ１１は、文字入力を容易にするために文字用キースイッチ１３ａが大きいキーボード１３を用いても、このキーボード１３を取り外せば、このキーボード１３が撮像時に邪魔になることがない。従って、デジタルカメラ１１の使い勝手をよくすることができる。
【００５１】
（３）本実施形態では、キーボード１３から入力された文字情報をモニタ部２２に表示させた。従って、入力された文字をモニタ部２２で確認しながら文字入力を行うことができるので、ユーザの意図した文字をより確実に入力することができる。
【００５２】
（４）本実施形態では、画像情報又は文字情報の画像データを、デジタルカメラ１１及びプリンタ１２に脱着可能なフラッシュメモリ１５に記憶させた。このため、多量の画像データを生成する際には、小さいフラッシュメモリ１５を複数備えればよい。すなわち、デジタルカメラ１１を大きくすることなく、多量の画像データを生成することができる。
【００５３】
（５）本実施形態では、プリンタ１２のモニタ部４３に、画像データの内容及びレイアウトした画像のサムネイルを表示した。このため、ユーザはモニタ部４３を見ることにより、所望した画像又はレイアウトの画像であるかを確認することができる。従って、間違って印刷することをより少なくすることができる。
【００５４】
（６）本実施形態では、デジタルカメラ１１は、キーボード１３を介して入力された文字情報のみに基づいて画像データを形成した。このため、図３の文書表示部Ｂに示すように、複数の画像に渡って注釈文を付けたり、１つ画像について多くの文字情報を入力することができる。従って、画像をより簡単に整理することができる。
【００５５】
（第２実施形態）
以下、本発明を具体化したデータ出力システムの第２の実施形態を図１〜図３及び図６に従って説明する。なお、本実施形態のデータ出力システムは、上記第１の実施形態のデータ出力システムと、デジタルカメラ１１の制御部３１の文字情報入力処理及びプリンタ１２の制御部５１の印刷処理が異なるだけである。従って、その他の同様な部分については、同一の符号を付し、その詳細な説明は省略する。
【００５６】
本実施形態のデジタルカメラ１１の制御部３１は、キーボード１３から文字情報を受信すると、この文字情報を内蔵メモリ３６に記憶するとともに、モニタ部２２に表示する。そして、すべての文字情報が入力されて、制御部３１がキーボード１３から終了信号を受信すると、内蔵メモリ３６に記憶されていた文字情報に基づいて、例えばテキスト形式の文書データを生成する。このとき、生成される文書データは、図６に示すように、ファイル付加情報Ａとデータ本体情報Ｄ
とから構成されている。また、ファイル付加情報Ａには、上記第１実施形態と同様に、ファイルを識別する識別情報Ａ１と、文書データとして記憶させる際に書き込まれる付帯情報Ａ３とから構成されている。本実施形態の識別情報Ａ１には、上記第１実施形態と同様に番号と、文書データの保存形式（テキスト）が記憶されている。付帯情報Ａ３は、文字情報がテキストデータとしてフラッシュメモリ１５に保存される際に、デジタルカメラ１１に記憶される各種情報である。この各種情報には、文書データのデータ量、作成日時及び書式情報６０が含まれている。この書式情報６０は、デジタルカメラ１１において光学駆動部２１を介して撮像された画像の画像情報を画像データとして生成されるときの書式情報である。すなわち、この書式情報６０は、デジタルカメラ１１において生成される画像データと同様の画像ファイル形式にプリンタ１２内で変換するための文字情報のレイアウト、大きさなどに関する情報である。これにより、プリンタ１２は、図３に示すように、画像情報を含んだ画像データが単票紙Ｐ上で印刷される領域と同じ大きさの領域に、文書データを表示させることができる。
【００５７】
一方、本実施形態のプリンタ１２の制御部５１は、画像データを印刷する際には、画像データとして、書式情報６０を有した文書データを画像データと判断する。そして、制御部５１は、書式情報６０及び文書データに基づいて、フラッシュメモリ１５に記憶されている他の画像データと同様に文書データを印刷する。すなわち、本実施形態のプリンタ１２は、書式情報６０に基づいてテキストの文書データを画像データに変換し、画像データとして印刷することができる。
【００５８】
従って、本実施形態のデータ出力システムによれば、上記（２）〜（６）の効果に加えて、以下のような効果を得ることができる。
（７）本実施形態では、デジタルカメラ１１は、文書データに含まれている書式情報６０に基づいて、文字情報を含んだ文書データを画像データと同様に取り扱って、文書データの文字情報を単票紙Ｐに記録する。このため、プリンタ１２は、画像データのレイアウトがすでに設定されている場合には、この画像データのレイアウトと、文書データが有している書式情報６０とに基づいて、画像が表示される領域と同じ領域の範囲で文字情報を自動的にレイアウトする。従って、ユーザは、画像のレイアウトと別に、文書のレイアウトを行う必要がなく、より簡単な操作を行うだけで、図３に示すように、画像と文書とを一緒に単票紙Ｐに記録することができる。また、ユーザは、デジタルカメラ１１において、キーボード１３を介して任意の文字情報を入力することができるので、撮像された画像に任意の文字情報を付すことができ、データの整理をより簡単に行うことができる。
【００５９】
（変更例）
なお、上記各実施形態は以下のように変更してもよい。
○上記各実施形態では、撮像装置としてデジタルカメラ１１を使用した。これに代えて、他の撮像装置、例えば図７に示すような撮像機能付きの携帯電話機７０を用いてもよい。この撮像機能付き携帯電話機７０は、光学駆動部２１と、モニタ部２２と、上記第１実施形態のシャッターボタン２３、メニューボタン２４、電源ボタン２６に相当するボタン有しているとともに、キーボード１３のキースイッチ１３ａ，１３ｂに相当するボタンを備えている。そのため、この携帯電話機７０では、別途キーボード１３を設けなくても文字入力を行うことができるので、より簡単に、文字情報を文書データ又は画像データとして生成することができる。
【００６０】
○上記各実施形態では、文書入力手段としてキーボード１３を用いたが、音声入力により文字を入力するようにしてもよい。
○上記各実施形態では、デジタルカメラ１１にて生成されたデータをフラッシュメモリ１５に記憶させ、このフラッシュメモリ１５をプリンタ１２内に挿入した。すなわち、上記各実施形態では、デジタルカメラ１１で生成されたデータは、フラッシュメモリ１５を介してプリンタ１２に受け渡された。これに代えて、データを、デジタルカメラ１１とプリンタ１２とをケーブルを介して受け渡すようにしてもよい。
【００６１】
○上記各実施形態では、デジタルカメラ１１で画像データをＪＰＥＧ形式に生成した。しかし、画像データの形式は、その他の画像データの形式でもよく、ＧＩＦ形式、ＴＩＦＦ形式、ＢＭＰ形式などであってもよい。また、撮像したデジタルカメラ１１に固有の画像データ形式であってもよい。この場合、プリンタ１２がその固有の画像データ形式を解析して、この画像データに基づいて印刷できることが必要である。
【００６２】
○上記第２実施形態では、デジタルカメラ１１にて生成された文書データに、デジタルカメラ１１において生成される画像データと同様の画像ファイル形式にプリンタ１２内で変換するための文字情報のレイアウト、大きさなどに関する書式情報６０を含めた。これに代えて、プリンタ１２内の制御部５１にデジタルカメラ１１の種類に対応した詳細な書式情報を記憶させて、フラッシュメモリ１５には書式情報としてそのデジタルカメラ１１の種類を特定する情報のみを書式情報６０として記憶させるようにしてもよい。
【００６３】
次に、上記実施形態及び別例から把握できる技術的思想について、それらの効果とともに以下に追記する。
（Ａ）文字情報を含んだ画像ファイル形式の画像データに基づいて、印刷記録媒体に文字を記録することを特徴とする記録装置。
【００６４】
従って、この（Ａ）に記載の発明によれば、記録装置は、文書データに含まれる文字情報と、画像データを生成するときの表示形式の書式情報とに基づいて、印刷記録媒体に文字を記録する。すなわち、記録装置は、画像データの表示形式と同じように文書データに基づいて、文字情報を印刷記録媒体に文字を記録することができる。このため、記録装置は、画像データのレイアウトがすでに設定されている場合には、この画像データのレイアウトと、文書データが有している書式情報とに基づいて、文書データに含まれる文字情報を自動的にレイアウトする。従って、ユーザは、画像のレイアウトと別に文書のレイアウトを別途行う必要がないので、より簡単な操作だけで、画像と文書とを一緒に印刷記録媒体に記録することができる。
【図面の簡単な説明】
【図１】本実施形態の同データ出力システムの概略斜視図。
【図２】同じくデータ出力システムの電気的構成を示すブロック図。
【図３】同システムにより画像データに基づく文字が記録された紙。
【図４】同システムによって生成された画像データの構成図。
【図５】同システムの撮像装置における画像取り込み処理を示す流れ図。
【図６】第２実施形態のデータ出力システムの文書データの構成図。
【図７】変更例における撮像装置としての携帯電話機の斜視図。
【符号の説明】
Ｐ…印刷記録媒体としての単票紙、１１…撮像装置としてのデジタルカメラ、１２…記録装置としてのプリンタ、１３…文字入力手段としてのキーボード。
【図１】
2004140529.tif 000003
【図２】
2004140529.tif 000004
【図３】
2004140529.tif 000005
【図４】
2004140529.tif 000006
【図５】
2004140529.tif 000007
【図６】
2004140529.tif 000008
【図７】
2004140529.tif 000009